(57)【特許請求の範囲】
【請求項１】
建物枠体に蝶番を介して開閉可能に設けられた扉が、付勢手段によって閉鎖方向に付勢されて前記建物枠体を閉鎖する際に、前記扉の閉鎖方向への移動を一時的に停止させる扉の緩衝装置において、
前記扉の戸先に設けられ、該扉の開閉方向における閉鎖方向の先端側となる位置に前端部を備え、前記扉の開放方向の先端側となる位置に後端部が備えられて、これら前端部と後端部との間で形成される凹部と、
前記凹部に対応する前記建物枠体の縦枠に位置し、前記扉の蝶番と平行に設けられた回動軸と、
前記扉が閉鎖しておらず、該扉とは未接触で、該扉によって押されず該扉より力を受けていない状態での位置となる基準位置と、前記扉の閉鎖によって押されることで前記基準位置から所定方向に所定角度回転した停止位置との間で回転しうるように前記回動軸に回動可能に設けられ、前記基準位置では前記扉の移動軌跡と交差する位置にあって閉鎖方向に移動する前記扉に押されるとともに前記停止位置では前記扉との係合が解除される後係止部と、前記基準位置では前記扉の移動軌跡と交差しない前記建物枠体側の位置にあるとともに前記停止位置では前記扉の移動軌跡に交差して前記扉の凹部に入り込む前係止部と、を有し、前記後係止部と前記前係止部は、前記回動軸からアーム状に延出する略Ｃ字形とされ、前記後係止部は円弧状に形成されて、前記前係止部は中途が屈曲し角部を有し、該角部までの形状が前記後係止部と略同形で該角部から先は前記回動軸を中心とする円弧状に形成されており、前記後係止部と前記前係止部の角部の間の幅長と、前記扉の前端部と後端部間となる前記凹部の内幅が、略同一長とされる係止部材と、
前記建物枠体に設けられ、前記所定方向に回動する前記係止部材に係止して該係止部材を前記停止位置に停止させる停止部材と、
前記係止部材と前記建物枠体の間に設けられ、前記付勢手段による閉鎖力とほぼ釣り合う引張り戻り力を備え、前記係止部材の後係止部が閉鎖方向に移動する前記扉に押されて前記基準位置から前記所定方向に向けて回動したときには前記係止部材を前記基準位置に引き戻す方向の力を前記係止部材に与えるとともに、前記係止部材が前記停止位置に至って前記係止部材の後係止部と前記扉との係合が解除された時には前記扉の移動軌跡に交差して前記扉の凹部に入り込んだ前記前係止部が前記扉の凹部に係止して前記扉に前記閉鎖方向と逆方向の力を与えることにより前記扉の移動を一旦停止させる状態にする復帰ばねと、
を有することを特徴とする扉の緩衝装置。
【請求項２】
前記扉を閉鎖する際には、
閉鎖方向に移動する前記扉の前端部に前記後係止部を押されて前記係止部材は前記基準位置から前記停止位置に至り、
次に、前記扉がさらに閉鎖方向に移動することにより、前記後係止部が前記扉の前端部から離れるとともに、前記前係止部の角部が前記扉の前記凹部内で前記後端部に係止して前記復帰ばねにより前記扉に前記閉鎖方向と逆方向の力を与えて前記扉の移動を一時停止させ、
さらに、前記復帰ばねの力により前記前係止部が前記扉の後端部を乗り越えることにより前記係止部材が前記基準位置に戻り、前記扉は閉鎖方向に移動して前記建物枠体を閉鎖し、
前記扉を開放する際には、
開放方向に移動する前記扉の前記前端部が前記後係止部を押して前記係止部材を前記所定方向と反対方向に回動させて基準位置の手前の位置に設定することにより、前記前端部が前記後係止部を乗り越えて前記扉が開放することを特徴とする請求項１記載の扉の緩衝装置。
【請求項３】
前記扉の後端部にローラを設け、前記係止部材の前記前係止部が該ローラを乗り越えることを特徴とする請求項２記載の扉の緩衝装置。
【発明の詳細な説明】
【０００１】
【発明の属する技術分野】
本発明は、扉が急激に閉まって指を挟むなどの事故を防止するために案出されたものであり、ドアクローザのような付勢手段に付勢されて閉鎖される扉に設けられ、前記扉の閉鎖方向への移動を一時的に停止させる扉の緩衝装置に関するものである。
【０００２】
【従来の技術】
従来、扉では、扉が風に煽られるなどの外力により急激に閉まって指を挟むなどの事故がおきることがあった。これを防止するため、扉にドアクローザを設けるなどして、扉の閉鎖動作を緩やかにする方法があるが、ドアクローザのみでも防ぎきれない場合があり、例えば扉が組み付けられた建物枠体の内側にスポンジ等の弾性体を設け、扉の勢いを閉鎖直前に一旦弱めるようにする等の対策が採られることがあった。
【０００３】
【発明が解決しようとする課題】
しかし、かかる対策では不十分であり、扉が急激に閉まることで指を挟むなどの事故を防止することが困難であった。
【０００４】
そこで、本発明は、扉による指を挟むなどの事故を防止するために、扉の閉鎖方向の移動を閉鎖直前に一旦止め、扉が急激に閉まることを防止することができる扉の緩衝装置を提供することを目的とする。
【０００５】
【課題を解決するための手段】
次に、上記の課題を解決するための手段を、実施の形態に対応する図面を参照して説明する。
この発明の請求項１に記載された扉の緩衝装置は、建物枠体に蝶番を介して開閉可能に設けられた扉１が、付勢手段によって閉鎖方向に付勢されて前記建物枠体を閉鎖する際に、前記扉の閉鎖方向への移動を一時的に停止させる扉の緩衝装置において、
前記扉１の戸先に設けられ、該扉１の開閉方向における閉鎖方向の先端側となる位置に前端部３を備え、前記扉１の開放方向の先端側となる位置に後端部４が備えられて、これら前端部３と後端部４との間で形成される凹部２と、
前記凹部２に対応する前記建物枠体の縦枠に位置し、前記扉１の蝶番と平行に設けられた回動軸６と、
前記扉１が閉鎖しておらず、該扉１とは未接触で、該扉１によって押されず該扉１より力を受けていない状態での位置となる基準位置と、前記扉１の閉鎖によって押されることで前記基準位置から所定方向に所定角度回転した停止位置との間で回転しうるように前記回動軸６に回動可能に設けられ、前記基準位置では前記扉１の移動軌跡Ｓと交差する位置にあって閉鎖方向に移動する前記扉１に押されるとともに前記停止位置では前記扉１との係合が解除される後係止部８と、前記基準位置では前記扉１の移動軌跡Ｓと交差しない前記建物枠体側の位置にあるとともに前記停止位置では前記扉１の移動軌跡Ｓに交差して前記扉１の凹部２に入り込む前係止部９と、を有し、前記後係止部８と前記前係止部９は、前記回動軸６からアーム状に延出する略Ｃ字形とされ、前記後係止部８は円弧状に形成されて、前記前係止部９は中途が屈曲し角部１０を有し、該角部１０までの形状が前記後係止部８と略同形で該角部１０から先には前記回動軸６を中心とする円弧状に形成されており、前記後係止部８と前記前係止部９の角部１０の間の幅長と、前記扉１の前端部３と後端部４間となる前記凹部２の内幅が、略同一長とされる係止部材７と、
前記建物枠体に設けられ、前記所定方向に回動する前記係止部材７に係止して該係止部材７を前記停止位置に停止させる停止部材１１と、
前記係止部材７と前記建物枠体の間に設けられ、前記付勢手段による閉鎖力とほぼ釣り合う引張り戻り力を備え、前記係止部材７の後係止部８が閉鎖方向に移動する前記扉１に押されて前記基準位置から前記所定方向に向けて回動したときには前記係止部材７を前記基準位置に引き戻す方向の力を前記係止部材７に与えるとともに、前記係止部材７が前記停止位置に至って前記係止部材７の後係止部８と前記扉１との係合が解除された時には前記扉１の移動軌跡Ｓに交差して前記扉１の凹部２に入り込んだ前記前係止部９が前記扉１の凹部２に係止して前記扉１に前記閉鎖方向と逆方向の力を与えることにより前記扉１の移動を一旦停止させる状態にする復帰ばね１３と、
を有することを特徴としている。
【０００６】
請求項２に記載された扉の緩衝装置によれば、請求項１記載の扉の緩衝装置において、前記扉１を閉鎖する際には、
閉鎖方向に移動する前記扉１の前端部３に前記後係止部８が押されて前記係止部材７は前記基準位置から前記停止位置に至り、
次に、前記扉１がさらに閉鎖方向に移動することにより、前記後係止部８が前記扉１の前端部３から離れるとともに、前記前係止部９の角部１０が前記扉１の前記凹部２内で前記後端部４に係止して前記復帰ばね１３により前記扉１に前記閉鎖方向と逆方向の力を与えて前記扉１の移動を一時停止させ、
さらに、前記復帰ばね１３の力により前記前係止部９が前記扉１の後端部４を乗り越えることによって前記係止部材７が前記基準位置に戻り、前記扉１は閉鎖方向に移動して前記建物枠体を閉鎖し、
前記扉１を開放する際には、
開放方向に移動する前記扉１の前記前端部３が前記後係止部８を押して前記係止部材７を前記所定方向と反対方向に回動させて基準位置の手前の位置に設定することにより、前記前端部３が前記後係止部８を乗り越えて前記扉１が開放することを特徴としている。
【０００７】
請求項３に記載された扉の緩衝装置は、請求項２記載の扉の緩衝装置において、前記扉１の後端部４にローラ２０を設け、前記係止部材７の前記前係止部９が該ローラ２０を乗り越えることを特徴としている。
【０００９】
【発明の実施の形態】
本発明の実施の形態の一例を図１〜図１２を参照して説明する。
本実施の形態は、扉が急激に閉まって指を挟むなどの事故が起きることのないように案出されたものであり、ドアクローザにより閉止方向に移動する扉を、閉止直前に一時停止させる扉の緩衝装置である。
【００１０】
扉１は蝶番を介して建物枠体に開閉可能に設けられている。この扉１と建物枠体の間には、図示しないドアクローザ等の付勢手段が設けられ、扉１を閉鎖方向に付勢して前記建物枠体が閉鎖されるように構成されている。
【００１１】
図１に示すように、前記扉１の戸先には凹部２が設けられている。本例の凹部２は板金部材で折曲形成された略直方体形であり、扉１の開閉方向について凹部２の建物枠体側 (閉鎖方向の先側）の位置を前端部３、凹部２のこれとは反対側 (開放方向の先側）の位置を後端部４と呼ぶ。
【００１２】
前記凹部２に対応する建物枠体の縦枠には、ケース５が埋め込まれており、このケース５内に本装置の要部となる機構が組み込まれている。まず、ケース５内には、前記扉１の蝶番の軸線と平行な回動軸６を介して係止部材７が回動可能に設けられている。
【００１３】
係止部材７は、２枚の略Ｃ字形の板材を所定間隔を置いて平行に配置し、一体化した部品である。この係止部材７の略中央部には前記回動軸６が回動可能に挿通しており、該回動軸６の上下端がケース５に固定されている。従って、係止部材７は回動軸６を中心としてケース５内で略水平方向に回動することができる。
【００１４】
係止部材７は、アーム状の後係止部８及び前係止部９を有している。これら両係止部８，９はその各先端部を互いに対向させ、両係止部８，９の間には間隙があり、係止部材７は全体として平面視で略Ｃ字形の部材となっている。前記後係止部８は円弧状であり、前記前係止部９は角部１０を有し、角部１０から先は前記回動軸６を中心とする円弧状とされている。
【００１５】
図７に示すように、前記後係止部８と前記前係止部９の角部１０の間の長さと、前記扉１の移動軌跡Ｓに沿う方向に関する前記凹部２の内幅（前端部３と後端部４の間隔）は、略同一寸法とされている。
【００１６】
ケース５内には、係止部材７の位置から扉１が閉鎖する方向を見た場合、該係止部材７の隣部に停止部材としてのストッパピン１１が設けられている。閉鎖方向に移動する扉１に押されて係止部材７が回動軸６を中心として扉１が閉まる方向に回動すると、係止部材７の後係止部８がこのストッパピン１１に当接し、係止部材７はそれ以上は同方向には回動しない。
【００１７】
また、ケース５内には、前記回動軸６及びストッパピン１１よりも扉１から見て外側にばねピン１２が設けられている。図２に示すように、係止部材７の前係止部９の角部１０とばねピン１２は復帰ばね１３で連結されており、係止部材７は図２に示す基準位置に設定されている。この基準位置から係止部材７がストッパピン１１に接近する方向に移動すると、係止部材７に戻り方向の付勢力を与える。
【００１８】
以上のように、係止部材７は回動可能に軸支されており、ストッパピン１１で回動範囲が規制され、復帰ばね１３で所定方向に付勢されるので、後述するように閉鎖する扉１に接触等して所定の運動を行なうことができる。
【００１９】
ここで、図２に示す係止部材７の位置を基準位置と呼ぶ。係止部材７が扉１等から力を受けていない状態にある位置である。この位置において係止部材７の後係止部８は、基準位置では前記扉１の移動軌跡Ｓ（図中一点鎖線で示す）と交差する位置にある。また、係止部材７の前係止部９は、前記扉１の移動軌跡Ｓと交差しない前記ケース５内の位置にある。
【００２０】
また、図６及び図７に示す係止部材７の位置を停止位置と呼ぶ。係止部材７が閉鎖する扉１に押されて回転し、ストッパピン１１に当接して停止する位置である。この位置において係止部材７の後係止部８は、前記扉１との係合が解除される。また、係止部材７の前係止部９は、前記扉１の移動軌跡Ｓに交差して前記扉１の凹部２に入り込む。
【００２１】
次に、図２〜図１２を参照して本実施の形態の扉の緩衝装置の作用について説明する。
図２に示すように、係止部材７は前述した基準位置にある。扉１がドアクローザに付勢されて矢印で示す閉鎖方向に移動し、係止部材７に接触する。なお、ここで、図中一点鎖線で示した扉１の移動軌跡Ｓは、実際には円弧となるが、閉止直前の狭い回動範囲内では実質上直線とみなすことができ、図中でも直線で示している。
【００２２】
図３に示すように、扉１がさらに閉鎖方向に移動し、係止部材７は扉１に押されて復帰ばね１３を引き伸ばしながらストッパピン１１に接近する方向（図中反時計回り方向）に回転する。
【００２３】
図４に示すように、扉１がさらに閉鎖方向に移動し、係止部材７は扉１にさらに押されて復帰ばね１３を引き伸ばしながらストッパピン１１に接近する方向（図中反時計回り方向）にさらに回転する。ここで、前係止部９がケース５から突出し、扉１の移動軌跡Ｓと交差して、扉１には当たらないで凹部２内に入り込む。
【００２４】
図５に示すように、扉１がさらに閉鎖方向に移動し、係止部材７は停止位置の直前に来る。後係止部８は扉１に係止しているが外れる直前の状態である。前係止部９は凹部２内にある。
【００２５】
図６に示すように、扉１がさらに閉鎖方向に移動し、係止部材７は基準位置から９０度回転して停止位置に至る。即ち、係止部材７が９０度回転したところで後係止部８は扉１を乗り越え、扉１から押されていた状態から脱し、図示のように扉１の前端部３と後係止部８はほぼ接触した状態になる。この時、係止部材７はストッパピン１１に当接しており、同方向には回転することができない。この状態において後係止部８は後戻りすることはできない。前係止部９は凹部２内にある。
【００２６】
図７に示すように、図６の状態から扉１がさらに閉止方向に移動すると、後係止部８が扉１の前端部３から外れるので、係止部材７は復帰ばね１３の付勢力によってストッパピン１１から離れる方向（図中時計回り方向）に回転することができる。かかる回転によって係止部材７の前係止部９の角部１０が、扉１の後端部４に復帰ばね１３の付勢力を持って係止する。前係止部９を介して扉１に加わる復帰ばね１３の力と、扉１のドアクローザによる閉止力とがほぼ釣り合い、扉１の閉鎖動作は一時停止する。このように、扉１はドアクローザによっても一気に閉止されることがなく、建物枠体との間に指を挟むなどの事故が防止される。
【００２７】
なお、後係止部８が外れてから前係止部９が扉１に係止するまでには時間的ずれがあるので、その間に係止部材７が戻されても前係止部９が扉１に係止できるように、前係止部９は角部１０から回動軸６を中心とした円弧状に大きく湾曲形成させる構成が好ましい。
【００２８】
また、復帰ばね１３の力とドアクローザの力はほぼ釣り合うが、実際にはわずかに復帰ばね１３による戻り力が大きくなるように復帰ばね１３の設置位置及び引張り強さ等を調整しておく。
【００２９】
図８に示すように、扉１が一旦停止した後、係止部材７は復帰ばね１３の付勢力によってストッパピン１１から離れる方向（図中時計回り方向）に回転するとともに、扉１も閉鎖方向に移動し、扉１の閉鎖直前の動作が行なわれる。
【００３０】
図９に示すように、係止部材７の前係止部９が扉１の前端部３を乗り越え、後係止部８は扉１の移動軌跡Ｓに交差する位置に戻って扉１の凹部２に入り込み、扉１が閉鎖される。図９では係止部材７は基準位置よりもストッパピン１１に接近する方向（図中反時計回り方向）に若干回転した位置にあるが、この状態で基準位置に設定されるようにしても良い。
【００３１】
次に、扉１が開放する際の作用を説明する。
図１０に示すように、扉１を矢印で示す開放方向に移動する。
【００３２】
図１１に示すように、扉１の前端部３が係止部材７の後係止部８を乗り越える。係止部材７は、復帰ばね１３を湾曲させ、ストッパピン１１から離れる方向（図中時計回り方向）に若干回転することができる。即ち、係止部材７は基準位置から図中時計回り方向に若干回転した位置に退避して開放動作する扉１から外れることとなる。
【００３３】
図１２に示すように、扉１が係止部材７から完全に外れると、係止部材７は基準位置に戻る。
【００３４】
なお、図１３は、上述した実施の形態の他の実施の形態を示す図であり、扉１の後端部４の隅にローラ２０を設けてある。前述した作用の図８及び図９に示す段階、即ち扉１が一旦停止した後、係止部材７が復帰ばね１３の付勢力で図中時計回り方向に回転して前係止部９が扉１の前端部３を乗り越える際に、前記ローラ２０が設けられることで前係止部９は円滑に扉１から外れることができる。
【００３５】
さらに、図１４は、他の態様を示す図である。上述した実施の形態では、係止部材７は平面視で略Ｃ字形であり、また略Ｃ字形の２枚の板材を間隔をおいて平行状態で一体化した部材であった。しかし、図１４に示すように、間に凹部２１のある前係止部９及び後係止部８や、復帰ばね１３が連結される角部１０等に相当する構造が板カム状の部材や、回動軸６の軸線方向に厚みのある部材として実現されていてもよく、上記実施の形態と実質的に同一の作用を奏することができるので、かかる形状・構造の係止部材７’でも用いることができる。
【００３６】
また、上述した実施の形態では、本発明の緩衝装置の配置位置について詳述していないが、扉１及び建物枠体における上方位置など実際に手には触れない位置が好ましく、さらには、戸先に設けられる凹部２についても戸先における全長に形成されてもよい。
【００３７】
【発明の効果】
本発明によれば、前後２つの係止部を供える復帰ばねに付勢された係止部材が、凹部が設けられた扉の戸先に押されて回転し、又はこれを乗り越える作用を示すことによって、扉の閉鎖方向のドアクローザなどの付勢手段による勢いを緩衝し、閉鎖運動を閉鎖直前に一時的に停止させることができるので、急激に扉が閉鎖されることによって、指を挟んでけがをするなどの事故が防止でき、扉の安全を確保することができる。この扉閉鎖時の一時停止は、扉の閉鎖によって後係止部が押され係止部材が回転し、この係止部材の回転が停止部材にて停止されることでなる。そしてこのときに係止部材の前係止部の角部が、扉の後端部の位置となり、復帰ばねの付勢力を持って扉に対し逆方向の力を与え停止となる。このときの復帰ばねの力が付勢手段の閉鎖力とほぼ釣り合っていることで、扉の閉鎖動作が一時停止となり、指挟みなどが防止される。その後、復帰ばねにより、係止部材は前係止部が扉の後端部を乗り越えて係止部材が基準位置に戻り、扉は閉鎖となる。
また、扉の後端部にローラが設けられていることで、扉の閉鎖時における一旦停止した後に、復帰ばねの付勢力によって乗り越える際、円滑に前係止部が外れることが可能となる。
【図面の簡単な説明】
【図１】本発明の扉の緩衝装置の一実施の形態を示す要部分解斜視図である。
【図２】同緩衝装置の平面図である。
【図３】同緩衝装置の動作を説明する平面図である。
【図４】同緩衝装置の動作を説明する平面図である。
【図５】同緩衝装置の動作を説明する平面図である。
【図６】同緩衝装置の動作を説明する平面図である。
【図７】同緩衝装置の動作を説明する平面図である。
【図８】同緩衝装置の動作を説明する平面図である。
【図９】同緩衝装置の動作を説明する平面図である。
【図１０】同緩衝装置の動作を説明する平面図である。
【図１１】同緩衝装置の動作を説明する平面図である。
【図１２】同緩衝装置の動作を説明する平面図である。
【図１３】他の実施の形態の緩衝装置を示す平面図である。
【図１４】他の実施の形態の緩衝装置を示す平面図である。
【符号の説明】
１…扉
２…凹部
３…前端部
４…後端部
５…ケース
６…回動軸
７…係止部材
８…後係止部
９…前係止部
１０…角部
１１…停止部材（ストッパピン）
１２…ばねピン
１３…復帰ばね
２０…ローラ
【図１】
0003927431.tif 000002
【図２】
0003927431.tif 000003
【図３】
0003927431.tif 000004
【図４】
0003927431.tif 000005
【図５】
0003927431.tif 000006
【図６】
0003927431.tif 000007
【図７】
0003927431.tif 000008
【図８】
0003927431.tif 000009
【図９】
0003927431.tif 000010
【図１０】
0003927431.tif 000011
【図１１】
0003927431.tif 000012
【図１２】
0003927431.tif 000013
【図１３】
0003927431.tif 000014
【図１４】
0003927431.tif 000015